(57)【要約】【課題】カートリッジをカートリッジ装着部にスムーズに装着可能とするリボン送り機構を提供する。【解決手段】送りモーターの回転が入力する入力歯車４１と、入力歯車４１と係合し、入力歯車４１を介して入力された送りモーターの回転を第１繰出し回転子１５に伝達する中間歯車４２と、カートリッジの装着時に、入力歯車４１および中間歯車４２が、それぞれ入力第１方向および中間第１方向４２ａに回転することを制限し、入力歯車４１および中間歯車４２が、それぞれ入力第１方向とは反対の入力第２方向および中間第１方向とは反対の中間第２方向に回転することを許容する繰出し側ワンウェイクラッチ５５と、入力歯車４１と中間歯車４２との間で、中間歯車４２の中間第１方向４２ａの先方に遊び８９が生じるように、中間歯車４２に対して中間第２方向に力を付与する弾性部材とを有する。【選択図】図１５
2020151919.tif 000002
【特許請求の範囲】
【請求項１】
インクリボンが巻回された繰出しコアと、前記繰出しコアから繰り出された前記インクリボンを巻き取る巻取りコアと、を備えたカートリッジが、テープ印刷装置のカートリッジ装着部に装着されるときに、前記繰出しコアと係合する繰出し回転子、および前記巻取りコアと係合する巻取り回転子と、
送りモーターと、
前記送りモーターの回転を前記繰出し回転子に伝達する送り輪列と、を備え、
前記送り輪列は、
前記送りモーターの回転が入力する入力歯車と、
前記入力歯車と係合し、前記入力歯車を介して入力された前記送りモーターの回転を前記繰出し回転子に伝達する中間歯車と、
前記カートリッジの装着時に、前記入力歯車および前記中間歯車がそれぞれ入力第１方向および中間第１方向に回転することを制限し、前記入力歯車および前記中間歯車がそれぞれ前記入力第１方向とは反対の入力第２方向および前記中間第１方向とは反対の中間第２方向に回転することを許容するクラッチ機構と、
前記入力歯車と前記中間歯車との間で、前記中間歯車の前記中間第１方向の先方に遊びが生じるように、前記中間歯車に対して前記中間第２方向に力を付与する弾性部材と、
を有することを特徴とするリボン送り機構。
【請求項２】
前記入力歯車と前記中間歯車とは、同軸上に設けられており、
前記入力歯車の前記中間歯車側の端面には、入力歯車側係合部が設けられ、
前記中間歯車の前記入力歯車側の端面には、前記入力歯車側係合部と係合する中間歯車側係合部が設けられ、
前記入力歯車側係合部と前記中間歯車側係合部との間に、前記遊びが生じることを特徴とする請求項１に記載のリボン送り機構。
【請求項３】
前記クラッチ機構は、内輪部材と、前記内輪部材の径方向外側に設けられた外輪部材と、を含み、
前記クラッチ機構は、前記カートリッジの装着時に、前記入力歯車および前記中間歯車がそれぞれ前記入力第１方向および前記中間第１方向に回転しようとすると、前記内輪部材と前記外輪部材とが係合することで、前記入力歯車および前記中間歯車がそれぞれ前記入力第１方向および前記中間第１方向に回転することを制限し、
前記クラッチ機構は、前記カートリッジの装着時に、前記入力歯車および前記中間歯車がそれぞれ前記入力第２方向および前記中間第２方向に回転しようとすると、前記内輪部材と前記外輪部材とが係合しないことで、前記入力歯車および前記中間歯車がそれぞれ前記入力第２方向および前記中間第２方向に回転することを許容することを特徴とする請求項１または２に記載のリボン送り機構。
【請求項４】
前記クラッチ機構は、前記送りモーターの回転が入力されるクラッチ第１歯車と、前記クラッチ第１歯車と噛み合ったクラッチ第２歯車と、前記クラッチ第２歯車が係脱するクラッチ第３歯車と、を含み、
前記クラッチ機構は、前記カートリッジの装着時に、前記入力歯車および前記中間歯車がそれぞれ前記入力第１方向および前記中間第１方向に回転しようとすると、前記クラッチ第２歯車が前記クラッチ第３歯車と噛み合うことで、前記入力歯車および前記中間歯車がそれぞれ前記入力第１方向および前記中間第１方向に回転することを制限し、
前記クラッチ機構は、前記カートリッジの装着時に、前記入力歯車および前記中間歯車がそれぞれ前記入力第２方向および前記中間第２方向に回転しようとすると、前記クラッチ第２歯車が前記クラッチ第３歯車から外れることで、前記入力歯車および前記中間歯車がそれぞれ前記入力第２方向および前記中間第２方向に回転することを許容することを特徴とする請求項１または２に記載のリボン送り機構。
【請求項５】
インクリボンが巻回された繰出しコアと、前記繰出しコアから繰り出された前記インクリボンを巻き取る巻取りコアと、を備えたカートリッジ、が装着されるテープ印刷装置であって、
前記カートリッジが装着されるカートリッジ装着部と、
前記カートリッジが前記カートリッジ装着部に装着されるときに、前記繰出しコアと係合する繰出し回転子と、
前記カートリッジが前記カートリッジ装着部に装着されるときに、前記巻取りコアと係合する巻取り回転子と、
送りモーターと、
前記送りモーターの回転を前記繰出し回転子に伝達する送り輪列と、
印刷テープに印刷を行う印刷ヘッドと、を備え、
前記送り輪列は、
前記送りモーターの回転が入力する入力歯車と、
前記入力歯車と係合し、前記入力歯車を介して入力された前記送りモーターの回転を前記繰出し回転子に伝達する中間歯車と、
前記カートリッジの装着時に、前記入力歯車および前記中間歯車が、それぞれ入力第１方向および中間第１方向に回転することを制限し、前記入力歯車および前記中間歯車が、それぞれ前記入力第１方向とは反対の入力第２方向および前記中間第１方向とは反対の中間第２方向に回転することを許容するクラッチ機構と、
前記入力歯車と前記中間歯車との間で、前記中間歯車の前記中間第１方向の先方に遊びが生じるように、前記中間歯車に対して前記中間第２方向に力を付与する弾性部材と、
を有することを特徴とするテープ印刷装置。
【発明の詳細な説明】
【技術分野】
【０００１】
本発明は、インクリボンを送るリボン送り機構およびテープ印刷装置に関するものである。
【背景技術】
【０００２】
従来、特許文献１が開示するように、インクリボンを送るリボン送り機構を備えたテープ印刷装置が知られている。リボン送り機構は、駆動モーターの回転を繰出し側駆動軸へ伝達するか否かを切り替える繰出し側クラッチ機構と、駆動モーターの回転を巻取り側駆動軸へ伝達するか否かを切り替える巻取り側クラッチ機構とを備えている。繰出し側クラッチ機構は、繰出し側太陽ギアと、繰出し側太陽ギアの周りを回動して繰出し側入力ギアに係脱する繰出し側遊星ギアとを備えている。
【先行技術文献】
【特許文献】
【０００３】
【特許文献１】特開２０１３−１５９４０９号公報
【発明の概要】
【発明が解決しようとする課題】
【０００４】
従来のテープ印刷装置では、繰出し側駆動軸が回転を停止した後、巻取り側駆動軸が回転を開始する前の時点では、繰出し側遊星ギアと繰出し側入力ギアとが噛み合っており、繰出し側クラッチ機構を介して駆動モーターと繰出し側駆動軸とが接続されている。この状態で、テープカートリッジがカートリッジ装着部に装着されると、リボン繰出しコアが繰出し側駆動軸に当たった場合に、繰出し側駆動軸が回転できず、テープカートリッジをカートリッジ装着部に装着できないおそれがある。
【課題を解決するための手段】
【０００５】
本発明のリボン送り機構は、インクリボンが巻回された繰出しコアと、繰出しコアから繰り出されたインクリボンを巻き取る巻取りコアと、を備えたカートリッジが、テープ印刷装置のカートリッジ装着部に装着されるときに、繰出しコアと係合する繰出し回転子および巻取りコアと係合する巻取り回転子と、送りモーターと、送りモーターの回転を繰出し回転子に伝達する送り輪列と、を備え、送り輪列は、送りモーターの回転が入力する入力歯車と、入力歯車と係合し、入力歯車を介して入力された送りモーターの回転を繰出し回転子に伝達する中間歯車と、カートリッジの装着時に、入力歯車および中間歯車がそれぞれ入力第１方向および中間第１方向に回転することを制限し、入力歯車および中間歯車がそれぞれ入力第１方向とは反対の入力第２方向および中間第１方向とは反対の中間第２方向に回転することを許容するクラッチ機構と、入力歯車と中間歯車との間で、中間歯車の中間第１方向の先方に遊びが生じるように、中間歯車に対して中間第２方向に力を付与する弾性部材と、を有する。
【０００６】
本発明のテープ印刷装置は、インクリボンが巻回された繰出しコアと、繰出しコアから繰り出されたインクリボンを巻き取る巻取りコアと、を備えたカートリッジ、が装着されるテープ印刷装置であって、カートリッジが装着されるカートリッジ装着部と、カートリッジがカートリッジ装着部に装着されるときに、繰出しコアと係合する繰出し回転子と、カートリッジがカートリッジ装着部に装着されるときに、巻取りコアと係合する巻取り回転子と、送りモーターと、送りモーターの回転を繰出し回転子に伝達する送り輪列と、印刷テープに印刷を行う印刷ヘッドと、を備え、送り輪列は、送りモーターの回転が入力する入力歯車と、入力歯車と係合し、入力歯車を介して入力された送りモーターの回転を繰出し回転子に伝達する中間歯車と、カートリッジの装着時に、入力歯車および中間歯車が、それぞれ入力第１方向および中間第１方向に回転することを制限し、入力歯車および中間歯車が、それぞれ入力第１方向とは反対の入力第２方向および中間第１方向とは反対の中間第２方向に回転することを許容するクラッチ機構と、入力歯車と中間歯車との間で、中間歯車の中間第１方向の先方に遊びが生じるように、中間歯車に対して中間第２方向に力を付与する弾性部材と、を有する。
【図面の簡単な説明】
【０００７】
【図１】カートリッジ装着部にテープカートリッジが装着された状態におけるテープ印刷装置を装着方向手前側から見た図である。
【図２】カートリッジ装着部にリボンカートリッジが装着された状態におけるテープ印刷装置を装着方向手前側から見た図である。
【図３】カートリッジ装着部にテープカートリッジおよびリボンカートリッジのいずれも装着されていない状態におけるテープ印刷装置を装着方向手前側から見た図である。
【図４】カートリッジ装着部にテープカートリッジおよびリボンカートリッジのいずれも装着されていない状態におけるテープ印刷装置の斜視図である。
【図５】第１繰出し回転子の斜視図である。
【図６】第１巻取り回転子の斜視図である。
【図７】送り輪列の斜視図である。
【図８】送り輪列を装着方向手前側から見た図であって、送りモーターがモーター第１方向に回転したときの各歯車および各回転子の回転方向を示す図である。
【図９】送り輪列を装着方向手前側から見た図であって、送りモーターがモーター第２方向に回転したときの各歯車および各回転子の回転方向を示す図である。
【図１０】ワンウェイクラッチユニットの分解斜視図である。
【図１１】二段歯車の分解斜視図である。
【図１２】図１１とは別の角度から見た、二段歯車の分解斜視図である。
【図１３】入力歯車側係合部と中間歯車側係合部との間の遊びを示す図である。
【図１４】第１繰出しコアおよび第２巻取りコアを示す、第１テープカートリッジの部分拡大図である。
【図１５】テープカートリッジがカートリッジ装着部に装着される前における、繰出し側輪列回りの状態を示す図である。
【図１６】図１５に示した状態から、第１繰出し回転子が第２方向に回転した状態を示す図である。
【図１７】図１５に示した状態から、第１繰出し回転子が繰出し第１方向に回転した状態を示す図である。
【図１８】変形例に係るクラッチ機構を示す図である。
【図１９】クラッチ機構を示す図であって、送りモーターがモーター第１方向に回転したときの状態を示す図である。
【図２０】クラッチ機構を示す図であって、送りモーターが第２方向に回転したときの状態を示す図である。
【図２１】図１８に示した状態から、第１繰出し回転子が第２方向に回転した状態を示す図である。
【図２２】図１８に示した状態から、第１繰出し回転子が繰出し第１方向に回転した状態を示す図である。
【図２３】他の変形例に係る入力歯車および中間歯車を示す図である。
【発明を実施するための形態】
【０００８】
以下、添付の図面を参照しつつ、テープ印刷装置の一実施形態について説明する。なお、以下の図面では、ＸＹＺ直交座標系を表示するが、説明の便宜上のものにすぎず、以下の実施形態を何ら限定するものではない。また、各部の個数などを示す数値は、いずれも例示にすぎず、以下の実施形態を何ら限定するものではない。
【０００９】
［テープ印刷装置、テープカートリッジおよびリボンカートリッジの概要］
図１ないし図３に示すように、テープ印刷装置１は、テープカートリッジ１０１およびリボンカートリッジ２０１が択一的に装着されるカートリッジ装着部２を備えている。なお、図示省略したが、テープ印刷装置１は、カートリッジ装着部２を開閉する装着部カバーを備えている。
【００１０】
図１に示すように、テープカートリッジ１０１は、テープコア１０２と、第１プラテンローラー１０３と、第１繰出しコア１０４と、第１巻取りコア１０５と、第１カートリッジケース１０６とを備えている。テープコア１０２には、第１印刷テープ１０７が巻回されている。テープコア１０２から繰り出された第１印刷テープ１０７は、第１カートリッジケース１０６の−Ｘ側の周壁部に設けられたテープ送出口１０８から、第１カートリッジケース１０６外へ送り出される。第１繰出しコア１０４には、第１インクリボン１０９が巻回されている。第１繰出しコア１０４から繰り出された第１インクリボン１０９は、第１巻取りコア１０５に巻き取られる。第１カートリッジケース１０６は、テープカートリッジ１０１の外殻を構成しており、テープコア１０２と、第１プラテンローラー１０３と、第１繰出しコア１０４と、第１巻取りコア１０５と、第１印刷テープ１０７と、第１インクリボン１０９とを収容している。第１カートリッジケース１０６には、第１ヘッド挿通孔１１１が、Ｚ方向に貫通して設けられている。
【００１１】
図２に示すように、リボンカートリッジ２０１は、第２プラテンローラー２０３と、第２繰出しコア２０４と、第２巻取りコア２０５と、第２カートリッジケース２０６とを備えている。第２繰出しコア２０４には、第２インクリボン２０９が巻回されている。第２繰出しコア２０４から繰り出された第２インクリボン２０９は、第２巻取りコア２０５に巻き取られる。第２カートリッジケース２０６は、リボンカートリッジ２０１の外殻を構成しており、第２プラテンローラー２０３と、第２繰出しコア２０４と、第２巻取りコア２０５と、第２インクリボン２０９とを収容している。第２カートリッジケース２０６には、第２ヘッド挿通孔２１１が、装着方向に貫通して設けられている。また、第２カートリッジケース２０６には、第２テープ経路２１２が設けられている。第２テープ経路２１２には、図示省略したが、テープ印刷装置１外に設けられたテープロールから繰り出された第２印刷テープが導入される。
【００１２】
なお、未使用状態のテープロールにおける第２印刷テープの長さおよび未使用状態のリボンカートリッジ２０１に収容された第２インクリボン２０９の長さは、特に限定されるものではないが、本実施形態では、未使用状態のテープカートリッジ１０１に収容された第１印刷テープ１０７の長さおよび第１インクリボン１０９の長さよりも長くなっている。このため、例えば、一度に大量のラベルを作成する場合に、リボンカートリッジ２０１がカートリッジ装着部２に装着される。
【００１３】
図３および図４に示すように、カートリッジ装着部２は、＋Ｚ側が開放された凹状に形成されている。カートリッジ装着部２の底面つまり−Ｚ側の面である装着底面３には、ヘッド部４と、コア凸部５とが、装着方向手前側に突出して設けられている。ヘッド部４は、印刷ヘッド６と、印刷ヘッド６の少なくとも＋Ｘ側、−Ｙ側および＋Ｚ側を覆うヘッドカバー７とを備えている。印刷ヘッド６は、発熱素子を備えたサーマルヘッドである。ヘッドカバー７は、テープカートリッジ１０１がカートリッジ装着部２に装着される際に、第１ヘッド挿通孔１１１に挿通され、テープカートリッジ１０１の装着をガイドする。また、ヘッドカバー７は、リボンカートリッジ２０１がカートリッジ装着部２に装着される際に、第２ヘッド挿通孔２１１に挿通され、リボンカートリッジ２０１の装着をガイドする。コア凸部５は、テープカートリッジ１０１がカートリッジ装着部２に装着される際に、テープカートリッジ１０１に設けられたコア凹部（図示省略）に挿入される。
【００１４】
また、装着底面３には、−Ｘ側から順に、プラテン軸８と、第１巻取り軸１１と、第１繰出し軸９と、第２繰出し軸１２と、第２巻取り軸１３とが、＋Ｚ側に突出して設けられている。
【００１５】
プラテン軸８は、印刷ヘッド６の＋Ｙ側に設けられている。プラテン軸８は、第１繰出し軸９、第１巻取り軸１１、第２繰出し軸１２および第２巻取り軸１３に比べて、装着方向手前側への突出量が大きい。プラテン軸８は、テープカートリッジ１０１がカートリッジ装着部２に装着される際に、第１プラテンローラー１０３に挿通され、ヘッドカバー７と共に、テープカートリッジ１０１の装着をガイドする。また、プラテン軸８は、リボンカートリッジ２０１がカートリッジ装着部２に装着される際に、第２プラテンローラー２０３に挿通され、ヘッドカバー７と共に、リボンカートリッジ２０１の装着をガイドする。なお、以下では、テープカートリッジ１０１或いはリボンカートリッジ２０１の装着方向を、単に、装着方向という。装着方向は、プラテン軸８の延びる方向、すなわちＺ方向と平行である。また、装着方向手前側とは、＋Ｚ側を意味し、装着方向奥側とは、−Ｚ側を意味する。
【００１６】
プラテン軸８、第１繰出し軸９、第１巻取り軸１１、第２繰出し軸１２および第２巻取り軸１３には、それぞれ、プラテン回転子１４（図８参照）、第１繰出し回転子１５、第１巻取り回転子１６、第２繰出し回転子１７および第２巻取り回転子１８が、回転可能に支持されている。テープカートリッジ１０１がカートリッジ装着部２に装着されると、プラテン回転子１４、第１繰出し回転子１５および第１巻取り回転子１６が、それぞれ、第１プラテンローラー１０３、第１繰出しコア１０４および第１巻取りコア１０５に挿入され、第１プラテンローラー１０３、第１繰出しコア１０４および第１巻取りコア１０５と係合する。また、リボンカートリッジ２０１がカートリッジ装着部２に装着されると、プラテン回転子１４、第２繰出し回転子１７および第２巻取り回転子１８が、それぞれ、第２プラテンローラー２０３、第２繰出しコア２０４および第２巻取りコア２０５に挿入され、第２プラテンローラー２０３、第２繰出しコア２０４および第２巻取りコア２０５と係合する。プラテン回転子１４、第１繰出し回転子１５、第１巻取り回転子１６、第２繰出し回転子１７および第２巻取り回転子１８には、後述する送り輪列１９を介して、送りモーター２０の回転が伝達される。なお、少なくとも、第１繰出し回転子１５、第１巻取り回転子１６、第２繰出し回転子１７、第２巻取り回転子１８、送り輪列１９および送りモーター２０から構成される機構が、「リボン送り機構」の一例である。
【００１７】
第１繰出し回転子１５の外周面には、３つの第１繰出し回転子側係合凸部３１が設けられている。３つの第１繰出し回転子側係合凸部３１は、第１繰出し回転子１５の周方向に略等間隔に設けられている。同様に、第１巻取り回転子１６の外周面には、３つの第１巻取り回転子側係合凸部３２が設けられている。３つの第１巻取り回転子側係合凸部３２は、第１巻取り回転子１６の周方向に略等間隔に設けられている。第２繰出し回転子１７の外周面には、３つの第２繰出し回転子側係合凸部３３が設けられている。３つの第２繰出し回転子側係合凸部３３は、第２繰出し回転子１７の周方向に略等間隔に設けられている。第２巻取り回転子１８の外周面には、３つの第２巻取り回転子側係合凸部３４が設けられている。３つの第２巻取り回転子側係合凸部３４は、第２巻取り回転子１８の周方向に略等間隔に設けられている。なお、図示省略したが、プラテン回転子１４の外周面にも、３つのプラテン回転子側係合凸部が設けられている。
【００１８】
図５に示すように、第１繰出し回転子側係合凸部３１は、第１繰出し回転子１５の軸方向すなわち装着方向に延在する略四角柱状に形成されており、装着方向手前側の両角部が、面取りされている。すなわち、第１繰出し回転子側係合凸部３１の装着方向手前側の端部には、第１繰出し回転子１５の繰出し第２方向１５ｂにおいて先方となる第１先方係合斜面３１ａと、繰出し第２方向１５ｂにおいて後方となる第１後方係合斜面３１ｂとが設けられている。ここで、第１繰出し回転子１５の繰出し第２方向１５ｂとは、後述するように、第１繰出しコア１０４に第１インクリボン１０９が巻き戻されるように、送りモーター２０がモーター第２方向２０ｂに回転したときに、第１繰出し回転子１５が回転する方向を意味する（図９参照）。第２繰出し回転子側係合凸部３３は、図示省略したが、第１繰出し回転子側係合凸部３１と同様に構成されており、第２繰出し回転子側係合凸部３３の装着方向手前側の端部には、第２先方係合斜面と、第２後方係合斜面とが設けられている。
【００１９】
図６に示すように、第１巻取り回転子側係合凸部３２は、第１巻取り回転子１６の軸方向すなわち装着方向に延在する細長い略四角柱状に形成されている。第１巻取り回転子側係合凸部３２の装着方向手前側の端部を、第１巻取り回転子側係合先端部３２ａという。第１巻取り回転子側係合先端部３２ａは、尖った形状に形成されている。第２巻取り回転子側係合凸部３４は、図示省略したが、第１巻取り回転子側係合凸部３２と同様に構成されており、装着方向手前側の端部には、第２巻取り回転子側係合先端部が設けられている。
【００２０】
［送り輪列］
図７ないし図９に示すように、送り輪列１９は、モーター側輪列２１と、プラテン側輪列２２と、リボン側輪列２３と、ワンウェイクラッチユニット２４と、繰出し側輪列２５と、第１巻取り側輪列２６と、第２巻取り側輪列２７とを備えている。
【００２１】
モーター側輪列２１は、送りモーター２０の回転を、プラテン側輪列２２およびリボン側輪列２３に伝達する。プラテン側輪列２２は、モーター側輪列２１を介して入力された送りモーター２０の回転を、プラテン回転子１４に伝達する。リボン側輪列２３は、モーター側輪列２１を介して入力された送りモーター２０の回転を、ワンウェイクラッチユニット２４に伝達する。
【００２２】
ワンウェイクラッチユニット２４は、リボン側輪列２３を介して入力された送りモーター２０の回転の伝達先を、送りモーター２０の回転方向に応じて、繰出し側輪列２５と、第１巻取り側輪列２６および第２巻取り側輪列２７とに切り替える。すなわち、ワンウェイクラッチユニット２４は、図８に示すように、送りモーター２０がモーター第１方向２０ａすなわち時計回りに回転したときには、入力された送りモーター２０の回転を、第１巻取り側輪列２６および第２巻取り側輪列２７に伝達する。一方、ワンウェイクラッチユニット２４は、図９に示すように、送りモーター２０がモーター第１方向２０ａとは反対のモーター第２方向２０ｂすなわち反時計回りに回転したときには、入力された送りモーター２０の回転を、繰出し側輪列２５に伝達する。ここで、時計回りとは、装着方向手前側から見たときの時計回りを意味する。同様に、反時計回りとは、装着方向手前側から見たときの反時計回りを意味する。なお、ワンウェイクラッチユニット２４については、後述する。
【００２３】
繰出し側輪列２５は、ワンウェイクラッチユニット２４を介して入力された送りモーター２０の回転を、第１繰出し回転子１５および第２繰出し回転子１７に伝達する。繰出し側輪列２５は、後述する繰出し側ワンウェイクラッチ５５と噛み合った入力歯車４１と、入力歯車４１の装着方向手前側で入力歯車４１と係合した中間歯車４２とを備えている。入力歯車４１と中間歯車４２とは、二段歯車４０を構成している。さらに、繰出し側輪列２５は、中間歯車４２の−Ｘ側で中間歯車４２と噛み合った第１出力歯車４３と、中間歯車４２の＋Ｘ側で中間歯車４２と噛み合った第２出力歯車４４とを備えている。第１出力歯車４３は、第１繰出し軸９に回転可能に設けられ、第１繰出し回転子１５と連結されている。第２出力歯車４４は、第２繰出し軸１２に回転可能に設けられ、第２繰出し回転子１７と連結されている。なお、二段歯車４０については、後述する。
【００２４】
第１巻取り側輪列２６は、ワンウェイクラッチユニット２４を介して入力された送りモーター２０の回転を、第１巻取り回転子１６に伝達する。第２巻取り側輪列２７は、ワンウェイクラッチユニット２４を介して入力された送りモーター２０の回転を、第２巻取り回転子１８に伝達する。
【００２５】
ここで、図８に示すように、送りモーター２０がモーター第１方向２０ａに回転したときに、送り輪列１９を構成する各歯車が回転する方向を、各歯車の第１方向という。また、図９に示すように、送りモーター２０がモーター第２方向２０ｂに回転したときに、送り輪列１９を構成する各歯車が回転する方向を、各歯車の第２方向という。特に、入力歯車４１の第２方向を、入力第２方向４１ｂといい、中間歯車４２の第２方向を、中間第２方向４２ｂという。入力第２方向４１ｂおよび中間第２方向４２ｂは、図９に示すように、時計回りである。また、中間第２方向４２ｂとは反対の方向を、中間第１方向４２ａ（図１７参照）という。
【００２６】
また、図８に示すように、送りモーター２０がモーター第１方向２０ａに回転したときに、プラテン回転子１４、第１巻取り回転子１６および第２巻取り回転子１８が回転する方向を、各回転子の第１方向という。特に、第１巻取り回転子１６の第１方向を、巻取り第１方向１６ａという。巻取り第１方向１６ａは、図８に示すように、反時計回りである。同様に、図９に示すように、送りモーター２０がモーター第２方向２０ｂに回転したときに、プラテン回転子１４、第１繰出し回転子１５および第２繰出し回転子１７が回転する方向を、各回転子の第２方向という。特に、第１繰出し回転子１５の第２方向を、繰出し第２方向１５ｂという。繰出し第２方向１５ｂは、図９に示すように、反時計回りである。また、繰出し第２方向１５ｂとは反対の方向を、繰出し第１方向１５ａ（図１７参照）という。
【００２７】
［テープカートリッジ装着時の印刷処理］
図１に示すように、テープカートリッジ１０１がカートリッジ装着部２に装着されると、テープカートリッジ１０１に設けられた第１プラテンローラー１０３、第１繰出しコア１０４および第１巻取りコア１０５が、それぞれ、図３に示すカートリッジ装着部２に設けられたプラテン回転子１４、第１繰出し回転子１５および第１巻取り回転子１６と係合する。これにより、送りモーター２０の回転が、第１プラテンローラー１０３、第１繰出しコア１０４および第１巻取りコア１０５に伝達可能となる。
【００２８】
また、テープカートリッジ１０１がカートリッジ装着部２に装着されると、テープカートリッジ１０１に設けられた第１ヘッド挿通孔１１１に、カートリッジ装着部２に設けられたヘッド部４が挿通する。テープカートリッジ１０１がカートリッジ装着部２に装着された後、装着部カバーが閉められると、ヘッド移動機構５２（図７参照）により、印刷ヘッド６がプラテン軸８に向けて移動する。これにより、印刷ヘッド６と第１プラテンローラー１０３との間に、第１印刷テープ１０７および第１インクリボン１０９が挟持される。
【００２９】
この状態で、送りモーター２０がモーター第１方向２０ａに回転すると、送りモーター２０の回転が送り輪列１９を介してプラテン回転子１４および第１巻取り回転子１６に伝達され、第１プラテンローラー１０３が送り方向に回転すると共に、第１巻取りコア１０５が巻取り方向に回転する。ここで、第１プラテンローラー１０３の送り方向とは、第１印刷テープ１０７がテープ送出口１０８に向けて送られると共に、第１インクリボン１０９が第１繰出しコア１０４から第１巻取りコア１０５へ送られるように、第１プラテンローラー１０３が回転する方向を意味する。また、第１巻取りコア１０５の巻取り方向とは、第１繰出しコア１０４から繰り出された第１インクリボン１０９が、第１巻取りコア１０５に巻き取られるように、第１巻取りコア１０５が回転する方向を意味する。換言すると、図１において、第１プラテンローラー１０３の送り方向は、時計回りに回転する方向であり、第１巻取りコア１０５の巻取り方向は、反時計回りに回転する方向である。
【００３０】
また、送りモーター２０がモーター第２方向２０ｂに回転すると、送りモーター２０の回転が送り輪列１９を介してプラテン回転子１４および第１繰出し回転子１５に伝達され、第１プラテンローラー１０３が引戻し方向に回転すると共に、第１繰出しコア１０４が巻戻し方向に回転する。ここで、第１プラテンローラー１０３の引戻し方向とは、テープ送出口１０８に向けて送られた第１印刷テープ１０７が引き戻されると共に、第１インクリボン１０９が第１巻取りコア１０５から第１繰出しコア１０４へ逆送りされるように、第１プラテンローラー１０３が回転する方向を意味する。また、第１繰出しコア１０４の巻戻し方向とは、第１繰出しコア１０４から繰り出された第１インクリボン１０９が、第１繰出しコア１０４に巻き戻されるように、第１繰出しコア１０４が回転する方向を意味する。換言すると、図１において、第１プラテンローラー１０３の引戻し方向および第１繰出しコア１０４の巻戻し方向は、ともに反時計回りに回転する方向である。
【００３１】
テープ印刷装置１は、送りモーター２０をモーター第１方向２０ａに回転させると共に、印刷ヘッド６を発熱させることにより、第１印刷テープ１０７および第１インクリボン１０９を送りつつ、図示省略したキーボード等から入力された印刷情報を第１印刷テープ１０７に印刷する。印刷終了後、テープ印刷装置１は、図示省略したが、カートリッジ装着部２とテープ排出口との間に設けられたカッターを切断動作させ、第１印刷テープ１０７の印刷済み部分を切り離す。その後、テープ印刷装置１は、送りモーター２０をモーター第２方向２０ｂに回転させることにより、第１印刷テープ１０７の先端が、印刷ヘッド６と第１プラテンローラー１０３との挟持位置の近傍にくるまで、第１印刷テープ１０７を引き戻す。これにより、次に印刷される第１印刷テープ１０７の長さ方向前方に生じる余白を、短くすることができる。
【００３２】
なお、テープ印刷装置１は、リボンカートリッジ２０１がカートリッジ装着部２に装着されたときも、同様にして、印刷処理を行う。すなわち、テープ印刷装置１は、印刷ヘッド６と第２プラテンローラー２０３との間に挟持した、第２印刷テープおよび第２インクリボン２０９を送りながら、第２印刷テープに対して印刷を行う。
【００３３】
［ワンウェイクラッチユニット］
図１０に示すように、ワンウェイクラッチユニット２４は、駆動歯車５３と、クラッチ軸５４と、繰出し側ワンウェイクラッチ５５と、巻取り側ワンウェイクラッチ５６とを備えている。なお、繰出し側ワンウェイクラッチ５５は、「クラッチ機構」の一例である。
【００３４】
駆動歯車５３は、リボン側輪列２３の歯車と噛み合っている（図８参照）。すなわち、駆動歯車５３には、リボン側輪列２３を介して、送りモーター２０の回転が入力される。
【００３５】
クラッチ軸５４は、駆動歯車５３と一体に回転し、駆動歯車５３の回転を、繰出し側ワンウェイクラッチ５５および巻取り側ワンウェイクラッチ５６に伝達する。
【００３６】
繰出し側ワンウェイクラッチ５５は、繰出し側内輪部材６４と、繰出し側外輪部材６５とを備えている。繰出し側内輪部材６４は、クラッチ軸５４に嵌合しており、クラッチ軸５４と一体に回転する。繰出し側外輪部材６５は、繰出し側内輪部材６４の径方向外側に設けられ、後述する入力歯車４１と噛み合っている。
【００３７】
駆動歯車５３が第１方向に回転して繰出し側内輪部材６４が第１方向に回転したときには、繰出し側内輪部材６４が繰出し側外輪部材６５と係合しないため、繰出し側内輪部材６４から繰出し側外輪部材６５へのトルクの伝達が制限され、繰出し側内輪部材６４が繰出し側外輪部材６５に対して空転する。一方、駆動歯車５３が第２方向に回転して繰出し側内輪部材６４が第２方向に回転したときには、繰出し側内輪部材６４が繰出し側外輪部材６５と係合するため、繰出し側内輪部材６４から繰出し側外輪部材６５へのトルクの伝達が許容され、繰出し側外輪部材６５が第２方向に回転する。それゆえ、繰出し側ワンウェイクラッチ５５は、図８に示すように、送りモーター２０がモーター第１方向２０ａに回転したときには、駆動歯車５３を介して入力された送りモーター２０の回転の、繰出し側輪列２５への伝達を制限する。一方、繰出し側ワンウェイクラッチ５５は、図９に示すように、送りモーター２０がモーター第２方向２０ｂに回転したときには、入力された送りモーター２０の回転の、繰出し側輪列２５への伝達を許容する。なお、送りモーター２０の回転が、繰出し側内輪部材６４に入力する構成に限定されず、繰出し側外輪部材６５に入力する構成でもよい。
【００３８】
巻取り側ワンウェイクラッチ５６は、繰出し側ワンウェイクラッチ５５と同様に構成されており、巻取り側内輪部材７１と、巻取り側外輪部材７２とを備えている。そして、巻取り側ワンウェイクラッチ５６は、図８に示すように、送りモーター２０がモーター第１方向２０ａに回転したときには、駆動歯車５３を介して入力された送りモーター２０の回転の、第１巻取り側輪列２６および第２巻取り側輪列２７への伝達を許容する。また、巻取り側ワンウェイクラッチ５６は、図９に示すように、送りモーター２０がモーター第２方向２０ｂに回転したときには、駆動歯車５３を介して入力された送りモーター２０の回転の、第１巻取り側輪列２６および第２巻取り側輪列２７への伝達を制限する。
【００３９】
［二段歯車］
図１１に示すように、二段歯車４０は、入力歯車４１と、入力歯車４１の装着方向手前側に設けられた中間歯車４２と、入力歯車４１と中間歯車４２との間に設けられた遊び生成バネ８８とを備えている。入力歯車４１と中間歯車４２とは、同軸上に設けられている。
【００４０】
入力歯車４１の中間歯車４２側の端面、すなわち装着方向手前側の端面には、入力歯車側嵌合凹部８１と、入力歯車側係合部８２とが設けられている。入力歯車側嵌合凹部８１は、入力歯車４１と同心の略円形状に形成されている。入力歯車側係合部８２は、入力歯車側嵌合凹部８１の径方向外側に位置して、装着方向手前側に突出しており、入力歯車４１と同心の略円弧状に形成されている。入力歯車側係合部８２の周方向略中間部には、入力歯車側バネ掛止部８３が切り欠かれている。
【００４１】
図１２に示すように、中間歯車４２の入力歯車４１側の端面、すなわち装着方向奥側の面には、バネ装着凹部８４と、中間歯車側嵌合凸部８５と、中間歯車側係合部８６とが設けられている。バネ装着凹部８４は、中間歯車４２と同心の略円形状に形成されている。中間歯車側嵌合凸部８５は、バネ装着凹部８４の底面から装着方向奥側に突出しており、中間歯車４２と同心の略短円筒状に形成されている。中間歯車側嵌合凸部８５は、入力歯車側嵌合凹部８１と嵌合する。中間歯車側係合部８６は、中間歯車側嵌合凸部８５の径方向外側に位置して、装着方向奥側に突出しており、中間歯車４２と同心の略円弧状に形成されている。中間歯車側係合部８６の周方向略中間部には、中間歯車側バネ掛止部８７が切り欠かれている。
【００４２】
遊び生成バネ８８は、中間歯車側嵌合凸部８５の外側に嵌めるようにしてバネ装着凹部８４に装着されている。遊び生成バネ８８としては、例えば、ねじりコイルバネを用いることができる。遊び生成バネ８８の一端は、入力歯車側バネ掛止部８３に掛止めされ、遊び生成バネ８８の他端は、中間歯車側バネ掛止部８７に掛止めされている。遊び生成バネ８８は、入力歯車４１を固定した場合に、中間歯車４２に対して中間第２方向４２ｂに力を付与している。このため、図１３に示すように、入力歯車側係合部８２と中間歯車側係合部８６との間には、入力歯車側係合部８２に対して中間第１方向４２ａの先方に、遊び８９が生じている。なお、遊び生成バネ８８は、「弾性部材」の一例である。
【００４３】
［第１巻取りコア、第１繰出しコア］
図１４に示すように、第１繰出しコア１０４の装着方向奥側の端面には、６つの第１繰出しコア側係合凹部１１２と、６つの第１繰出しコア側先端部１１３とが、周方向に交互に設けられている。テープカートリッジ１０１がカートリッジ装着部２に装着されると、３つの第１繰出し回転子側係合凸部３１（図３参照）が、６つの第１繰出しコア側係合凹部１１２のうち３つの第１繰出しコア側係合凹部１１２と係合する。これにより、第１繰出しコア１０４が、第１繰出し回転子１５と一体に回転可能となる。第１繰出しコア側先端部１１３は、周方向の両端部が面取りされている。なお、第２繰出しコア２０４は、第１繰出しコア１０４と同様に構成されている。
【００４４】
一方、第１巻取りコア１０５の内周面には、６つの第１巻取りコア側係合凸部１１４が突出して設けられている。６つの第１巻取りコア側係合凸部１１４は、第１巻取りコア１０５の周方向に略等間隔に設けられており、第１巻取りコア１０５の軸方向すなわち装着方向に延在している。テープカートリッジ１０１がカートリッジ装着部２に装着されると、第１巻取りコア１０５内に進入した３つの第１巻取り回転子側係合凸部３２（図３参照）が、６つの第１巻取りコア側係合凸部１１４のうち３つの第１巻取りコア側係合凸部１１４と係合する。これにより、第１巻取りコア１０５が、第１巻取り回転子１６と一体に回転可能となる。第１巻取りコア側係合凸部１１４の装着方向奥側の端部には、第１巻取りコア側係合斜面１１５が設けられている。なお、第２巻取りコア２０５は、第１巻取りコア１０５と同様に構成されている。
【００４５】
［テープカートリッジの装着］
このように構成されたテープ印刷装置１およびテープカートリッジ１０１において、テープカートリッジ１０１がカートリッジ装着部２に装着されるときに、第１巻取り回転子側係合凸部３２の第１巻取り回転子側係合先端部３２ａ（図６参照）に、第１巻取りコア側係合凸部１１４の装着方向奥側の端部が当たると、当該端部に第１巻取りコア側係合斜面１１５が設けられていることで、第１巻取りコア１０５が巻取り方向に回転する。なお、図１４に示した矢印Ａは、第１巻取りコア１０５の巻取り方向を示す。これにより、第１巻取り回転子側係合凸部３２が第１巻取りコア１０５内へ進入することができるため、テープカートリッジ１０１をカートリッジ装着部２にスムーズに装着することができる。また、第１巻取りコア１０５が巻取り方向に回転することで、第１インクリボン１０９が弛むことを抑制することができる。
【００４６】
一方、第１繰出しコア１０４および第１繰出し回転子１５については、テープカートリッジ１０１がカートリッジ装着部２に装着されるときに、第１繰出しコア１０４ではなく、第１繰出し回転子１５が回転することで、テープカートリッジ１０１をカートリッジ装着部２にスムーズに装着可能となっている。これは、第１繰出しコア１０４が巻戻し方向に回転すると、第１インクリボン１０９の印刷済み部分を巻き戻してしまい、第１繰出しコア１０４が巻戻し方向とは反対の繰出し方向に回転すると、第１インクリボン１０９が弛んでしまうためである。
【００４７】
ここで、テープカートリッジ１０１がカートリッジ装着部２に装着されるときに、第１繰出しコア側先端部１１３が、第１繰出し回転子側係合凸部３１の第１後方係合斜面３１ｂ（図５参照）に当たると、図１５に示した状態から、図１６に示すように、第１繰出し回転子１５が繰出し第２方向１５ｂに回転しようとする。このとき、繰出し側外輪部材６５が繰出し側内輪部材６４と係合せず、繰出し側外輪部材６５が繰出し側内輪部材６４に対して空転する。このため、入力歯車４１および中間歯車４２がそれぞれ入力第２方向４１ｂおよび中間第２方向４２ｂに回転することが許容され、第１繰出し回転子１５が繰出し第２方向１５ｂに回転することができる。その結果、第１繰出し回転子側係合凸部３１が第１繰出しコア側係合凹部１１２内へ進入することができ、テープカートリッジ１０１をカートリッジ装着部２にスムーズに装着することができる。なお、入力歯車４１と中間歯車４２とは、同径であるが、図１５等では、図示の関係上、中間歯車４２を入力歯車４１よりも小径の円で示す。
【００４８】
一方、テープカートリッジ１０１がカートリッジ装着部２に装着されるときに、第１繰出しコア側先端部１１３が、第１繰出し回転子側係合凸部３１の第１先方係合斜面３１ａ（図５参照）に当たると、図１５に示した状態から、図１７に示すように、第１繰出し回転子１５が繰出し第１方向１５ａに回転しようとする。このとき、繰出し側外輪部材６５が繰出し側内輪部材６４と係合し、繰出し側外輪部材６５が繰出し側内輪部材６４に対して空転しない。このため、入力歯車４１および中間歯車４２がそれぞれ入力第１方向４１ａおよび中間第１方向４２ａに回転することが制限される。もっとも、図１５に示すように、入力歯車側係合部８２と中間歯車側係合部８６との間には、上記の遊び生成バネ８８により、入力歯車側係合部８２に対して中間歯車側係合部８６の中間第１方向４２ａの先方に、遊び８９が生じている。これにより、図１７に示すように、入力歯車側係合部８２と中間歯車側係合部８６との間の遊び８９が解消されるまでは、すなわち、中間歯車側係合部８６の中間第１方向４２ａ先方の端部が入力歯車側係合部８２の中間第１方向４２ａ後方の端部に当たるまでは、中間歯車４２が中間第１方向４２ａに回転することができ、その分、第１繰出し回転子１５が繰出し第１方向１５ａに回転することができる。その結果、第１繰出し回転子側係合凸部３１が第１繰出しコア側係合凹部１１２内へ進入することができ、テープカートリッジ１０１をカートリッジ装着部２にスムーズに装着することができる。
【００４９】
なお、以上の説明は、リボンカートリッジ２０１にも同様に適用される。すなわち、リボンカートリッジ２０１がカートリッジ装着部２に装着されるときに、第２巻取りコア２０５が巻取り方向に回転することで、リボンカートリッジ２０１をカートリッジ装着部２にスムーズに装着することができる。また、リボンカートリッジ２０１がカートリッジ装着部２に装着されるときに、第２繰出し回転子１７が第１方向および第２方向のいずれにも回転可能であることで、リボンカートリッジ２０１をカートリッジ装着部２にスムーズに装着することができる。
【００５０】
［その他の変形例］
上記の実施形態に限定されず、その趣旨を逸脱しない範囲で種々の構成を採用可能であることは言うまでもない。例えば、上記の実施形態は、上述したほか、以下のような形態に変更することができる。
【００５１】
繰出し側ワンウェイクラッチ５５に代えて、図１８に示すクラッチ機構９０を備えた構成でもよい。クラッチ機構９０は、クラッチ第１歯車９１と、クラッチ第２歯車９２と、クラッチ第３歯車９３と、歯車支持部材９４とを備えている。クラッチ第１歯車９１には、送りモーター２０の回転が入力される。クラッチ第２歯車９２は、クラッチ第１歯車９１と常に噛み合っており、クラッチ第１歯車９１の周りを回動すると共にクラッチ第３歯車９３に対して係脱する。クラッチ第３歯車９３は、入力歯車４１と噛み合っている。歯車支持部材９４は、クラッチ第１歯車９１の支軸に回動可能に設けられ、クラッチ第２歯車９２を回転可能に支持する。
【００５２】
このように構成されたクラッチ機構９０において、図１９に示すように、クラッチ第１歯車９１に対し、送りモーター２０のモーター第１方向２０ａの回転が入力されると、歯車支持部材９４が第１方向に回転するクラッチ第１歯車９１に連れ回りすることで、クラッチ第２歯車９２がクラッチ第３歯車９３から外れる。このため、送りモーター２０の回転が第１繰出し回転子１５に伝達されない。一方、図２０に示すように、クラッチ第１歯車９１に対し、送りモーター２０のモーター第２方向２０ｂの回転が入力されると、歯車支持部材９４が第２方向に回転するクラッチ第１歯車９１に連れ回りすることで、クラッチ第２歯車９２がクラッチ第３歯車９３と噛み合う。これにより、送りモーター２０の回転が第１繰出し回転子１５に伝達される。
【００５３】
そして、上述したように、テープカートリッジ１０１がカートリッジ装着部２に装着されるときに、第１繰出しコア側先端部１１３が第１後方係合斜面３１ｂに当たると、図１８に示した状態から、図２１に示すように、第１繰出し回転子１５が繰出し第２方向１５ｂに回転しようとする。このとき、クラッチ第２歯車９２がクラッチ第３歯車９３から外れる。このため、入力歯車４１および中間歯車４２がそれぞれ入力第２方向４１ｂおよび中間第２方向４２ｂに回転することが許容され、第１繰出し回転子１５が繰出し第２方向１５ｂに回転することができる。その結果、第１繰出し回転子側係合凸部３１が第１繰出しコア側係合凹部１１２内へ進入することができ、テープカートリッジ１０１をカートリッジ装着部２にスムーズに装着することができる。
【００５４】
一方、テープカートリッジ１０１がカートリッジ装着部２に装着されるときに、第１繰出しコア側先端部１１３が第１先方係合斜面３１ａに当たると、図１８に示した状態から、図２２に示すように、第１繰出し回転子１５が繰出し第１方向１５ａに回転しようとする。このとき、クラッチ第２歯車９２とクラッチ第３歯車９３との噛合いが維持される。このため、入力歯車４１および中間歯車４２がそれぞれ入力第１方向４１ａおよび中間第１方向４２ａに回転することが制限される。もっとも、図１８に示すように、入力歯車側係合部８２と中間歯車側係合部８６との間には、遊び生成バネ８８により、入力歯車側係合部８２に対して中間歯車側係合部８６の中間第１方向４２ａの先方に、遊び８９が生じている。これにより、図２２に示すように、入力歯車側係合部８２と中間歯車側係合部８６との間の遊び８９が解消されるまでは、中間歯車４２が中間第１方向４２ａに回転することができ、その分、第１繰出し回転子１５が繰出し第１方向１５ａに回転することができる。その結果、第１繰出し回転子側係合凸部３１が第１繰出しコア側係合凹部１１２内へ進入することができ、テープカートリッジ１０１をカートリッジ装着部２にスムーズに装着することができる。
【００５５】
入力歯車４１と中間歯車４２とは、同軸上に設けられた構成に限定されず、例えば、入力歯車４１と中間歯車４２とが噛み合った構成でもよい。この場合、図２３に示すように、入力歯車４１と中間歯車４２との噛合い部分において、入力歯車４１に対して中間歯車４２の中間第１方向４２ａの先方に、遊び８９としてバックラッシュが生じるように、中間歯車４２に対して中間第２方向４２ｂに力を付与する弾性部材を用いればよい。
【００５６】
カートリッジ装着部２は、テープカートリッジ１０１とリボンカートリッジ２０１とが択一的に装着される構成に限定されず、テープカートリッジ１０１のみが装着される構成でもよく、リボンカートリッジ２０１のみが装着される構成でもよい。すなわち、第１繰出し回転子１５、第１巻取り回転子１６、第２繰出し回転子１７および第２巻取り回転子１８のうち、第２繰出し回転子１７および第２巻取り回転子１８を備えていない構成でもよく、第１繰出し回転子１５および第１巻取り回転子１６を備えていない構成でもよい。さらに、本実施形態を、印刷ヘッド６を備えていないリボン送り機構に適用してもよい。
また、上記した実施形態や変形例を、それぞれ組み合わせた構成でもよい。
【００５７】
［付記］
以下、リボン送り機構およびテープ印刷装置について付記する。
リボン送り機構は、インクリボンが巻回された繰出しコアと、繰出しコアから繰り出されたインクリボンを巻き取る巻取りコアと、を備えたカートリッジが、テープ印刷装置のカートリッジ装着部に装着されるときに、繰出しコアと係合する繰出し回転子および巻取りコアと係合する巻取り回転子と、送りモーターと、送りモーターの回転を繰出し回転子に伝達する送り輪列と、を備え、送り輪列は、送りモーターの回転が入力する入力歯車と、入力歯車と係合し、入力歯車を介して入力された送りモーターの回転を繰出し回転子に伝達する中間歯車と、カートリッジの装着時に、入力歯車および中間歯車がそれぞれ入力第１方向および中間第１方向に回転することを制限し、入力歯車および中間歯車がそれぞれ入力第１方向とは反対の入力第２方向および中間第１方向とは反対の中間第２方向に回転することを許容するクラッチ機構と、入力歯車と中間歯車との間で、中間歯車の中間第１方向の先方に遊びが生じるように、中間歯車に対して中間第２方向に力を付与する弾性部材と、を有する。
【００５８】
この構成によれば、カートリッジの装着時に、入力歯車および中間歯車がそれぞれ入力第２方向および中間第２方向に回転することが許容されているため、繰出し回転子が、入力第２方向および中間第２方向に対応した繰出し第２方向に回転することができる。また、入力歯車に対して中間歯車の中間第１方向の先方に遊びがあることで、その遊びが解消されるまでは、中間歯車が中間第１方向に回転することができるため、繰出し回転子が、中間第１方向に対応した繰出し第１方向に回転することができる。したがって、カートリッジがカートリッジ装着部に装着されるときに、繰出しコアが繰出し回転子に当たったとしても、カートリッジをカートリッジ装着部にスムーズに装着することができる。
【００５９】
この場合、入力歯車と中間歯車とは、同軸上に設けられており、入力歯車の中間歯車側の端面には、入力歯車側係合部が設けられ、中間歯車の入力歯車側の端面には、入力歯車側係合部と係合する中間歯車側係合部が設けられ、入力歯車側係合部と中間歯車側係合部との間に、遊びが生じることが好ましい。
【００６０】
この構成によれば、入力歯車と中間歯車とが噛み合った構成に比べ、大きな遊びを容易に生じさせることができる。これにより、カートリッジがカートリッジ装着部に装着されるときに、繰出しコアが回転可能な回転量を、大きくすることができる。
【００６１】
この場合、クラッチ機構は、内輪部材と、内輪部材の径方向外側に設けられた外輪部材と、を含み、クラッチ機構は、カートリッジの装着時に、入力歯車および中間歯車がそれぞれ入力第１方向および中間第１方向に回転しようとすると、内輪部材と外輪部材とが係合することで、入力歯車および中間歯車がそれぞれ入力第１方向および中間第１方向に回転することを制限し、クラッチ機構は、カートリッジの装着時に、入力歯車および中間歯車がそれぞれ入力第２方向および中間第２方向に回転しようとすると、内輪部材と外輪部材とが係合しないことで、入力歯車および中間歯車がそれぞれ入力第２方向および中間第２方向に回転することを許容することが好ましい。
【００６２】
この構成によれば、簡易な構成により、クラッチ機構を実現することができる。
【００６３】
この場合、クラッチ機構は、送りモーターの回転が入力されるクラッチ第１歯車と、クラッチ第１歯車と噛み合ったクラッチ第２歯車と、クラッチ第２歯車が係脱するクラッチ第３歯車と、を含み、クラッチ機構は、カートリッジの装着時に、入力歯車および中間歯車がそれぞれ入力第１方向および中間第１方向に回転しようとすると、クラッチ第２歯車がクラッチ第３歯車と噛み合うことで、入力歯車および中間歯車がそれぞれ入力第１方向および中間第１方向に回転することを制限し、クラッチ機構は、カートリッジの装着時に、入力歯車および中間歯車がそれぞれ入力第２方向および中間第２方向に回転しようとすると、クラッチ第２歯車がクラッチ第３歯車から外れることで、入力歯車および中間歯車がそれぞれ入力第２方向および中間第２方向に回転することを許容することを許容することが好ましい。
【００６４】
この構成によれば、簡易な構成により、クラッチ機構を実現することができる。
【００６５】
テープ印刷装置は、インクリボンが巻回された繰出しコアと、繰出しコアから繰り出されたインクリボンを巻き取る巻取りコアと、を備えたカートリッジ、が装着されるテープ印刷装置であって、カートリッジが装着されるカートリッジ装着部と、カートリッジがカートリッジ装着部に装着されるときに、繰出しコアと係合する繰出し回転子と、カートリッジがカートリッジ装着部に装着されるときに、巻取りコアと係合する巻取り回転子と、送りモーターと、送りモーターの回転を繰出し回転子に伝達する送り輪列と、印刷テープに印刷を行う印刷ヘッドと、を備え、送り輪列は、送りモーターの回転が入力する入力歯車と、入力歯車と係合し、入力歯車を介して入力された送りモーターの回転を繰出し回転子に伝達する中間歯車と、カートリッジの装着時に、入力歯車および中間歯車が、それぞれ入力第１方向および中間第１方向に回転することを制限し、入力歯車および中間歯車が、それぞれ入力第１方向とは反対の入力第２方向および中間第１方向とは反対の中間第２方向に回転することを許容するクラッチ機構と、入力歯車と中間歯車との間で、中間歯車の中間第１方向の先方に遊びが生じるように、中間歯車に対して中間第２方向に力を付与する弾性部材と、を有する。
【００６６】
この構成によれば、カートリッジがカートリッジ装着部に装着されるときに、入力歯車に対して中間歯車の中間第１方向の先方に遊びがあることで、その遊びが解消されるまでは、中間歯車が中間第１方向に回転することができるため、繰出し回転子が繰出し第１方向に回転することができる。したがって、カートリッジがカートリッジ装着部に装着されるときに、繰出しコアが繰出し回転子に当たったとしても、カートリッジをカートリッジ装着部にスムーズに装着することができる。
【符号の説明】
【００６７】
１…テープ印刷装置、２…カートリッジ装着部、６…印刷ヘッド、１５…第１繰出し回転子、１５ｂ…繰出し第２方向、１６…第１巻取り回転子、１６ａ…巻取り第１方向、１９…送り輪列、２０…送りモーター、２０ａ…モーター第１方向、２０ｂ…モーター第２方向、４１…入力歯車、４１ｂ…入力第２方向、４２…中間歯車、４２ａ…中間第１方向、４２ｂ…中間第２方向、５５…繰出し側ワンウェイクラッチ、６４…繰出し側内輪部材、６５…繰出し側外輪部材、８２…入力歯車側係合部、８６…中間歯車側係合部、８８…遊び生成バネ、８９…遊び、９０…クラッチ機構、９１…クラッチ第１歯車、９２…クラッチ第２歯車、９３…クラッチ第３歯車、１０１…テープカートリッジ、１０４…第１繰出しコア、１０５…第１巻取りコア、１０７…第１印刷テープ、１０９…第１インクリボン。
【図１】
2020151919.tif 000003
【図２】
2020151919.tif 000004
【図３】
2020151919.tif 000005
【図４】
2020151919.tif 000006
【図５】
2020151919.tif 000007
【図６】
2020151919.tif 000008
【図７】
2020151919.tif 000009
【図８】
2020151919.tif 000010
【図９】
2020151919.tif 000011
【図１０】
2020151919.tif 000012
【図１１】
2020151919.tif 000013
【図１２】
2020151919.tif 000014
【図１３】
2020151919.tif 000015
【図１４】
2020151919.tif 000016
【図１５】
2020151919.tif 000017
【図１６】
2020151919.tif 000018
【図１７】
2020151919.tif 000019
【図１８】
2020151919.tif 000020
【図１９】
2020151919.tif 000021
【図２０】
2020151919.tif 000022
【図２１】
2020151919.tif 000023
【図２２】
2020151919.tif 000024
【図２３】
2020151919.tif 000025